(57)【要約】【課題】  径寸法をワイヤーハーネスに対応して調整できるとともに、スリットを閉じた状態に維持できるコルゲートチューブを提供する。【解決手段】  コルゲートチューブ１０は、コルゲートチューブ１０は、外側端部１４の内周面１４Ａに押さえ片２１を形成することにより、押さえ片２１と外側端部１４とで収容部１６が形成され、この収容部１６内における外側端部１４の内周面１４Ａに設けられた断面略鋸刃状の多段係止部１８と、内側端部１５の外周面１５Ａに設けられて多段係止部１８に対して係止可能な係止爪１９とにより係合手段１７が設けられている。【選択図】  図１
2005033931.tif 000002
【特許請求の範囲】
【請求項１】
略円筒状に形成された本体に沿ってスリットが設けられているとともに、前記本体の周方向両端部がそれぞれ外側端部および内側端部となるように積層するオーバーラップタイプのコルゲートチューブであって、
前記外側端部および前記内側端部のうちの一方に設けられて前記外側端部および前記内側端部のうちの他方を収容する収容部と、
前記外側端部および前記内側端部のうちの他方と前記収容部の内面との間に設けられた多段式の係合手段とを備えることを特徴とするコルゲートチューブ。
【請求項２】
前記外側端部の内周面に形成された押さえ片により前記収容部が設けられているとともに、
前記収容部内における前記外側端部の内周面と前記内側端部の外周面とのうちの一方に設けられた断面略鋸刃状の多段係止部と、
前記収納部内における前記外側端部の内周面と前記内側端部の外周面とのうちの他方に設けられて前記多段係止部に対して係止可能な係止爪とにより前記係合手段が設けられていることを特徴とする請求項１に記載のコルゲートチューブ。
【請求項３】
前記本体の母線に沿って薄肉ヒンジが設けられていることを特徴とする請求項１および請求後２のうちのいずれかに記載のコルゲートチューブ。
【発明の詳細な説明】
【技術分野】
【０００１】
本発明は、自動車等の配索に使用されるワイヤーハーネスを被覆するコルゲートチューブに関する。
【背景技術】
【０００２】
ワイヤーハーネスを保護するものとして可撓性のコルゲートチューブが知られている（例えば特許文献１）。
【０００３】
特許文献１のコルゲートチューブは、大径円筒部および小径円筒部を同一軸線に沿って交互に配置した筒部を有し、この筒部の長手方向に沿ってスリットを形成して一対の縁部を設け、一方の縁部の各大径円筒部に突起部外向きに突出させ、他方凹の縁部の各大径円筒部に貫通孔を形成したものである。
【０００４】
コルゲートチューブによれば、貫通孔に突起部を差し込み、貫通孔から突出した突起部先端を熱で潰すことにより、一対の縁部をオーバーラップさせた状態で突起部を貫通孔にロックしてスリットを閉じる。
このように、一対の縁部をオーバーラップさせてスリットを閉じることで、コルゲートチューブ内に収納したワイヤーハーネスを、コルゲートチューブで保護できる。
【０００５】
このコルゲートチューブは、大径円筒部および小径円筒部を同一軸線に沿って交互に配置した長尺物であるととともに、連続性を備えた筒体であり、さらには任意の部位で切断することが可能である。
よって、ワイヤーハーネスの長さに合わせて自由な長さに切断して使用することができる。
【特許文献１】特開２０００−２６１９３１号公報（第１頁、図１）
【発明の開示】
【発明が解決しようとする課題】
【０００６】
ところで、ワイヤーハーネスには、多種の用途に対応させるために、直径寸法が異なる複数種類のものがある。しかし、特許文献１のコルゲートチューブはスリットを閉じた状態に固定できる構造であるが、径寸法を調整する機能は備えていない。
よって、直径寸法の異なる多種のワイヤーハーネスに対応するために、径径寸法の異なる複数種類のコルゲートチューブを用意しておく必要があり、そのことがコストを抑える妨げになっていた。
【０００７】
本発明は、前述した要望を満たすためになされたものであり、その目的は径寸法をワイヤーハーネスに対応して調整できるとともに、スリットを閉じた状態に維持できるコルゲートチューブを提供することにある。
【課題を解決するための手段】
【０００８】
前述した目的を達成するために、本発明は、略円筒状に形成された本体に沿ってスリットが設けられているとともに、前記本体の周方向両端部がそれぞれ外側端部および内側端部となるように積層するオーバーラップタイプのコルゲートチューブであって、前記外側端部および前記内側端部のうちの一方に設けられて前記外側端部および前記内側端部のうちの他方を収容する収容部と、前記外側端部および前記内側端部のうちの他方と前記収容部の内面との間に設けられた多段式の係合手段とを備えることを特徴とする。
【０００９】
このように構成されたコルゲートチューブにおいては、外側端部および内側端部のうちの一方の端部に、他方の端部を収容する収容部を設け、収容部の内面との間に多段式の係合手段を設けた。よって、多段式の係合手段のうちの任意の部位を選択して他方の端部を係合させることができる。
【００１０】
また、本発明は、前記外側端部の内周面に形成された押さえ片により前記収容部が設けられているとともに、前記収容部内における前記外側端部の内周面と前記内側端部の外周面とのうちの一方に設けられた断面略鋸刃状の多段係止部と、前記収納部内における前記外側端部の内周面と前記内側端部の外周面とのうちの他方に設けられて前記多段係止部に対して係止可能な係止爪とにより前記係合手段が設けられていることを特徴とする。
【００１１】
外側端部および内側端部を係合する係合手段を、収容部に形成した鋸刃状の多段係止部と、この多段係止部に係止する係止爪とで構成し、多段係止部に係止爪を噛み合わせることで係合できる。
よって、コルゲートチューブの外側端部および内側端部をオーバーラップさせた状態に簡単に係止でき、かつ外側端部および内側端部をオーバーラップさせた状態から簡単に外すことができる。
【００１２】
さらに、本発明は、前記本体の母線に沿って薄肉ヒンジが設けられていることを特徴とする。
【００１３】
本体の母線に沿って薄肉ヒンジを設けることで、薄肉ヒンジでコルゲートチューブを大きく開いた状態に保つことができるので、押出成形が可能になり、コルゲートチューブを連続的に生産できる。
また、コルゲートチューブを押出成形することで、多段係止部や係止爪の先端形状を鋭角状に維持して成形できる。
【発明の効果】
【００１４】
以上説明したように、本発明によれば、外側端部および内側端部のうちの一方の端部に、他方の端部を収容する収容部を設け、収容部の内面との間に多段式の係合手段を設けた。よって、多段式の係合手段のうちの任意の部位を選択して他方の端部を係合させることができる。
これにより、コルゲートチューブの径寸法を、ワイヤーハーネスの外径に対応させて、大きく調整することや、小さく調整することができ、かつスリットを閉じた状態に維持できる。
【００１５】
また、本発明によれば、外側端部および内側端部を係合する係合手段を、収容部に形成した鋸刃状の多段係止部と、この多段係止部に係止する係止爪とで構成し、多段係止部に係止爪を噛み合わせることで係合できる。
【００１６】
よって、コルゲートチューブの外側端部および内側端部をオーバーラップさせた状態に簡単に係止でき、かつ外側端部および内側端部をオーバーラップさせた状態から簡単に外すことができる。
これにより、コルゲートチューブの取付作業を時間をかけないで簡単におこなうことができる。
【００１７】
また、本発明によれば、本体の母線に沿って薄肉ヒンジを設けることで、薄肉ヒンジでコルゲートチューブを大きく開いた状態に保つことができるので、押出成形が可能になる。これにより、コルゲートチューブを連続的に生産できるので、生産性を高めることができる。
また、コルゲートチューブを押出成形することで、多段係止部や係止爪の先端形状を鋭角状に維持して成形でき、多段係止部に係止爪を確実に係止することが可能になる。
【発明を実施するための最良の形態】
【００１８】
以下、本発明に係る実施形態を、図面に基づいて詳細に詳説する。
図１に示す本発明に係る第１実施形態のコルゲートチューブ１０は、長尺物で、連続性があり、かつ任意の位置で自由に切断することにより、一例として自動車等に配索するワイヤーハーネスを内部に収納して保護するワイヤーハーネス用の保護部材である。
【００１９】
このコルゲートチューブ１０は、略円筒状に形成された長尺の本体１１に沿ってスリット１２が設けられているとともに、本体１１の周方向両端部がそれぞれ外側端部１４および内側端部１５となるように積層（オーバーラップ）するもので、外側端部１４に設けられて内側端部１５を収容する収容部１６と、内側端部１５と収容部１６の内面との間に設けられた多段式の係合手段１７とを備える。
【００２０】
さらに、コルゲートチューブ１０は、外側端部１４の内周面１４Ａに押さえ片２１を形成することにより、押さえ片２１と外側端部１４とで収容部１６が形成され、この収容部１６内における外側端部１４の内周面１４Ａに設けられた断面略鋸刃状の多段係止部１８と、内側端部１５の外周面１５Ａに設けられて多段係止部１８に対して係止可能な係止爪１９とにより係合手段１７が設けられている。
加えて、コルゲートチューブ１０は、本体１１の母線（すなわち、本体外周において長手方向に沿った線）に沿って薄肉ヒンジ２３が設けられている。
【００２１】
このコルゲートチューブ１０によれば、内側端部１５を収容部１６の内部に矢印のように押し込むことにより、図２に示すように、収容部１６の多段係止部１８に、内側端部１５の係止爪１９が噛み合うように係止する。
ここで、多段係止部１８および係止爪１９は、それぞれ複数個形成されているので、多段係止部１８に係止爪１９の一部を係止させても、外側端部１４に内側端部１５をオーバーラップさせた状態に係止させることができる。
よって、多段係止部１８のうちの任意の部位を選択して係止爪１９を係合させることができる。よって、コルゲートチューブ１０の径寸法をワイヤーハーネス２５の外径に対応させて大きく調整することや、小さく調整することができる。
【００２２】
さらに、多段係止部１８に係止爪１９を係止させて、外側端部１４に内側端部１５をオーバーラップさせた状態に係止できるので、コルゲートチューブ１０のスリット１２（図１参照）を閉じた状態に維持できる。
よって、コルゲートチューブ１０の内部に収納したワイヤーハーネス２５をコルゲートチューブ１０で保護できる。
【００２３】
また、収容部１６に形成した多段係止部１８を鋸刃状とし、多段係止部１８に係止する係止爪１９も鋸刃状とすることで、多段係止部１８に係止爪１９を噛み合わせるだけで、多段係止部１８に係止爪１９が簡単に係合する。
よって、コルゲートチューブ１０の外側端部１４および内側端部１５をオーバーラップさせた状態に簡単に係止できる。
【００２４】
また、図３に示すように、内側端部１５を外側から矢印のように押圧することにより、内側端部１５を内周方向に弾性変形するとともに、押さえ片２１を内周方向に弾性変形させて、係止爪１９から多段係止部１８を離して、多段係止部１８と係止爪１９との係合を解除する。
これにより、外側端部１４および内側端部１５をオーバーラップさせた状態から簡単に外すことができる。
【００２５】
実際には、コルゲートチューブ１０は連続した長尺物なので、内側端部１５を外側から矢印のように一箇所だけ押圧しても、多段係止部１８と係止爪１９との係合は解除しないが、コルゲートチューブ１０のスリット１２に沿って内側端部１５を複数個所押圧することにより、長尺物のコルゲートチューブ１０の多段係止部１８と係止爪１９との係合を容易に解除できる。
【００２６】
また、本体１１の母線に沿って薄肉ヒンジ２３を設けることで、図４に示すように薄肉ヒンジ２３を弾性変形させてコルゲートチューブ１０を大きく開いた状態に保つことができる。
このように、本体１１を大きく開いた状態に維持することで、コルゲートチューブ１０をダイ（押出成形型）３０の押出口３１から連続的に押出成形できる。
【００２７】
コルゲートチューブ１０を連続的に生産できるので、コルゲートチューブ１０の生産性を高めることができる。
また、コルゲートチューブ１０を押出成形することで、多段係止部１８や係止爪１９の鋸刃状の先端を鋭角状に維持して成形でき、多段係止部１８と係止爪１９との係止性をより高めることができる。
【００２８】
一方、コルゲートチューブ１０を、通常の射出成形で成形する場合には、上型と下型とを型開きする場合や、コルゲートチューブ１０を金型から離型する場合を考慮して、多段係止部１８や係止爪１９の鋸刃状の先端に丸みを突ける必要があり、そのことが多段係止部１８や係止爪１９の係合性を損なう虞がある。
【００２９】
次に、第２〜第６実施形態を図５〜図９に基づいて説明する。なお、第２〜第６実施形態において第１実施形態と同一部材については同一符号を付して説明を省略する。
【００３０】
（第２実施形態）
図５に示す第２実施形態のコルゲートチューブ５０は、収容部１６内における押さえ片２１の外周面２１Ａに設けられた断面略鋸刃状の多段係止部５２と、内側端部１５の内周面１５Ｂに設けられて多段係止部５２に対して係止可能な係止爪５３とにより係合手段５１が設けられたもので、その他の構成は第１実施形態のコルゲートチューブ１０と同じである。
第２実施形態のコルゲートチューブ５０によれば、第１実施形態のコルゲートチューブ１０と同様の効果を得ることができる。
【００３１】
（第３実施形態）
図６に示す第３実施形態のコルゲートチューブ６０は、内側端部１５に設けられて外側端部１４を収容する収容部６１と、内側端部１５と収容部６１の内面との間に設けられた多段式の係合手段６２とを備える。
このコルゲートチューブ６０は、内側端部１５の外周面１５Ａに形成された押さえ片６３により収容部６１が設けられているとともに、収容部６１内における内側端部１５の外周面１５Ａに設けられた断面略鋸刃状の多段係止部６４と、外側端部１４の内周面１４Ａに設けられて多段係止部６４に対して係止可能な係止爪６５とにより係合手段６２が設けられている。
【００３２】
第３実施形態のコルゲートチューブ６０のその他の構成は、第１実施形態のコルゲートチューブ１０と同じである。
第３実施形態のコルゲートチューブ６０によれば、第１実施形態のコルゲートチューブ１０と同様の効果を得ることができる。
【００３３】
（第４実施形態）
図７に示す第４実施形態のコルゲートチューブ７０は、収容部６１内における押さえ片６３の内周面６３Ａに設けられた断面略鋸刃状の多段係止部７２と、外側端部１４の外周面１４Ｂに設けられて多段係止部７２に対して係止可能な係止爪７３とにより係合手段７１が設けらたもので、その他の構成は第３実施形態のコルゲートチューブ６０と同じである。
第４実施形態のコルゲートチューブ７０によれば、第３実施形態のコルゲートチューブ６０と同様の効果を得ることができる。
【００３４】
（第５実施形態）
図８（Ａ）、（Ｂ）に示す第５実施形態のコルゲートチューブ８０は、第２実施形態のコルゲートチューブ５０を構成する内側端部１５の内周面１５Ｂに、押さえ片２１に向けて湾曲状に隆起した隆起部８１を備え、隆起部８１の高さＨを、押さえ片２１の肉厚Ｔと同じにしたものである。
【００３５】
よって、（Ｂ）に示すように、多段係止部５２に係止爪５３の最大長さＬを係止させて、隆起部８１の端部８１Ａを押さえ片２１の端部２１Ａに突き当てることにより、押さえ片２１と内側端部１５との段差をなくすことができる。
これにより、コルゲートチューブ５０内に収納したワイヤーハーネス２５の被覆に悪影響を与えないようにできる。
加えて、第５実施形態のコルゲートチューブ８０によれば、第１実施形態のコルゲートチューブ１０と同様の効果を得ることができる。
【００３６】
（第６実施形態）
図９（Ａ）、（Ｂ）に示す第６実施形態のコルゲートチューブ９０は、第２実施形態のコルゲートチューブ５０を構成する押さえ片２１の端部を内側端部１５の内周面１５Ｂに沿って先細状に延びる延出部９１を備えたものである。
第６実施形態のコルゲートチューブ９０によれば、図９（Ａ）に示すように、多段係止部５２に係止爪５３を途中まで係止させた状態においても、押さえ片と内側端部との段差をなくすことができる。
これにより、コルゲートチューブ５０内に収納したワイヤーハーネス２５の被覆に悪影響を与えないようにできる。
【００３７】
さらには、図９（Ｂ）に示すように、多段係止部５２に係止爪５３の最大長さを係止させた状態においても、もちろん押さえ片２１と内側端部１５との段差をなくして、ワイヤーハーネス２５の被覆に悪影響を与えないようにできる。
よって、コルゲートチューブ９０によれば、多段係止部５２と係止爪５３との噛合量に左右されることなく、コルゲートチューブ９０内に収納したワイヤーハーネス２５の被覆を保護できる。
【００３８】
また、第６実施形態のコルゲートチューブ９０によれば、押さえ片２１の端部に内側端部１５の内周面１５Ｂに向けて先細状に延びる延出部９１を備えたので、内側端部１５を収容部１６の内部に差し込む際に、延出部９１が内側端部１５をガイドして、内側端部１５を収容部１６の内部に簡単に差し込むことができる。
加えて、第６実施形態のコルゲートチューブ９０によれば、第１実施形態のコルゲートチューブ１０と同様の効果を得ることができる。
【００３９】
本発明のコルゲートチューブは、前述した各実施形態に限定されるものではなく、例えば各実施形態において例示した本体、外側端部、内側端部、収容部、係合手段、多段係止部、係止爪や薄肉ヒンジ等の材質、形状、寸法、形態、数、配置等は本発明を達成できるものであれば、任意であり、限定されない。
【００４０】
また、本発明のコルゲートチューブは、例えば自動車内で用いるワイヤーハーネスを被覆するコルゲートチューブに限定されず、その他の機器等で使用するワイヤーハーネス用のコルゲートチューブにも用いられる。
【図面の簡単な説明】
【００４１】
【図１】本発明に係るコルゲートチューブ（第１実施形態）の上側端部と内側端部とを開いた状態を示す正面図である。
【図２】本発明に係る第１実施形態の上側端部と下側端部とをオーバーラップさせ閉じた状態を示す正面図である。
【図３】本発明に係る第１実施形態の上側端部と下側端部との係合状態を解除する例を示す説明図である。
【図４】本発明に係る第１実施形態の製造方法を説明する図である。
【図５】本発明に係るコルゲートチューブ（第２実施形態）を示す正面図である。
【図６】本発明に係るコルゲートチューブ（第３実施形態）を示す正面図である。
【図７】本発明に係るコルゲートチューブ（第４実施形態）を示す正面図である。
【図８】（Ａ）、（Ｂ）は本発明に係るコルゲートチューブ（第５実施形態）の要部を示す拡大図である。
【図９】（Ａ）、（Ｂ）は本発明に係るコルゲートチューブ（第６実施形態）の要部を示す拡大図である。
【符号の説明】
【００４２】
１０，５０，６０，７０，８０，９０  コルゲートチューブ
１１  本体
１２  スリット
１４  外側端部
１４Ｂ  外側端部の内周面
１５  内側端部
１５Ａ  内側端部の外周面
１６，６１  収容部
１７，５１，６２，７１  多段式の係合手段
１８，５２，６４，７１  多段係止部
１９，５２，６５，７３  係止爪
２１，６３  押さえ片
２１Ａ  収容部の内面
２３  薄肉ヒンジ
【図１】
2005033931.tif 000003
【図２】
2005033931.tif 000004
【図３】
2005033931.tif 000005
【図４】
2005033931.tif 000006
【図５】
2005033931.tif 000007
【図６】
2005033931.tif 000008
【図７】
2005033931.tif 000009
【図８】
2005033931.tif 000010
【図９】
2005033931.tif 000011